(57)【要約】      （修正有）【課題】浴室の洗い場床の排水口にヌメリや汚れを生じにくくする。【解決手段】洗い場面と、洗い場面の一部を凹ませるとともに、排水トラップに水を排出する開口部１３０が形成された排水凹部１２０と、排水凹部１２０の上方に設置されて、洗い場面の上面と面一をなす排水蓋２００と、を備え、排水凹部１２０と排水蓋２００との隙間から洗い場面上の水を排水凹部１２０に排出させてなる洗い場床において、排水凹部１２０は、開口部１３０に向けて下り傾斜となる排水案内面１４０を有し、排水案内面１４０および排水蓋２００の一方に複数の突起１４２を設け、他方に突起１４２に係合する凹部を設けた。【選択図】図２
2013209831.tif 000002
【特許請求の範囲】
【請求項１】
洗い場面と、
前記洗い場面の一部を凹ませるとともに、排水トラップに水を排出する開口部が形成された排水凹部と、
前記排水凹部の上方に設置されて、前記洗い場面の上面と面一をなす排水蓋と、
を備え、
前記排水凹部と前記排水蓋との隙間から前記洗い場面上の水を前記排水凹部に排出させてなる浴室洗い場の排水部構造において、
前記排水凹部は、その上面を、前記開口部に向けて下り傾斜となる排水案内面となし、
前記排水案内面および前記排水蓋の一方に複数の突起を設け、他方に前記突起に係合する凹部を設けたことを特徴とする浴室洗い場床の排水部構造。
【請求項２】
前記排水凹部は、前記開口部を中心としたすり鉢状に形成されたことを特徴とする請求項１記載の浴室洗い場床の排水部構造。
【請求項３】
前記排水凹部は平面視で四角形状であり、前記排水凹部に設けられた前記突起又は凹部は前記排水凹部の四隅に設けられた円形状であることを特徴とする請求項１又は２に記載の浴室洗い場床の排水部構造。
【発明の詳細な説明】
【技術分野】
【０００１】
本発明は、浴室洗い場床の排水部構造に関する。
【背景技術】
【０００２】
従来の浴室の洗い場の排水部構造では、洗い場の一部を凹ませた排水口を設けて洗い場の水を排水トラップに排出していた。また、洗い場に排水口が露出しないように排水口に排水蓋が被せられていた。その排水蓋は、特許文献１，２に示すように、排水口部内の周囲あるいは四隅に形成された水平な平面部に載置されていた。
【先行技術文献】
【特許文献】
【０００３】
【特許文献１】特開２０００−１５４５６７号公報
【特許文献２】特開２００８−１３３６１８号公報
【発明の概要】
【発明が解決しようとする課題】
【０００４】
従来の排水部構造では、排水口内に水平な平面部が設けられていたために、平面部に水が残りやすい。その残水が、排水口部のヌメリや汚れの原因となっていた。
本発明は、浴室の洗い場床の排水口部にヌメリや汚れを生じにくくすることを目的とする。
【課題を解決するための手段】
【０００５】
上記課題を解決するために、請求項１の浴室洗い場床の排水部構造では、洗い場面と、前記洗い場面の一部を凹ませるとともに、排水トラップに水を排出する開口部が形成された排水凹部と、前記排水凹部の上方に設置されて、前記洗い場面の上面と面一をなす排水蓋と、を備え、前記排水凹部と前記排水蓋との隙間から前記洗い場面上の水を前記排水凹部に排出させてなる洗い場床において、前記排水凹部は、その上面を、前記開口部に向けて下り傾斜となる排水案内面となし、前記排水案内面および前記排水蓋の一方に複数の突起を設け、他方に前記突起に係合する凹部を設けたことを特徴とする。
【０００６】
これによれば、排水案内面に設けた突起又は凹部に排水蓋を係合させ、排水凹部の全体を開口部に向けて斜め傾斜する排水案内面としたので、洗い場から排水凹部に流れ込んだ水は速やかに開口部から排水トラップに排出されるため、排水凹部には残水が生じない。よって、水に含まれた異物も排水凹部に残りにくくなるため、排水口部内にヌメリや汚れが付着しにくい。また、排水口部の清掃性も向上する。
また、排水蓋は排水案内面との間で凹凸係合させるので、排水凹部の底部の全体を下り傾斜させても、排水蓋が水平方向に動くことがないから、安心して洗い場上を歩くことができる。
【０００７】
請求項２では、請求項１において、前記排水凹部は、前記開口部を中心としたすり鉢状に形成されたことを特徴とする。
【０００８】
これによれば、排水凹部がすり鉢状であるから、下り傾斜同士の境界線がなく隅部のない排水凹部となる。そのため、排水凹部にヌメリや汚れがより一層付着しにくくなる。
【０００９】
請求項３では、請求項１又は２において、前記排水凹部は平面視で四角形状であり、前記排水凹部に設けられた前記突起又は凹部は前記排水凹部の四隅に設けられた円形状であることを特徴とする。
【００１０】
これによれば、突起又は凹部が円形状なので、角部がなく、ヌメリ・汚れが付着しにくい。また、排水蓋は排水凹部の四隅で支持されるので、安定感が高いものとなる。
【発明の効果】
【００１１】
本発明によれば、排水口部にヌメリや汚れを生じにくい浴室洗い場床の排水部構造を提供することができる。
【図面の簡単な説明】
【００１２】
【図１】本発明の実施の形態にかかる浴室洗い場を例示する模式的斜視図である。
【図２】洗い場床に設けられた排水凹部を表す模式的斜視図である。
【図３】洗い場床に設けられた排水凹部を表す模式的平面図である。
【図４】図３のＸ−Ｘ断面模式図である。
【図５】洗い場床に設けられた排水凹部と排水トラップとの関係を表す断面図である。
【発明を実施するための形態】
【００１３】
以下、本発明の実施の形態について図面を参照しつつ説明する。
図１は、本発明の実施の形態にかかる浴室洗い場を例示する模式的斜視図、図２は、洗い場床に設けられた排水凹部を表す模式的斜視図、図３は、洗い場床に設けられた排水凹部を表す模式的平面図、図４は、図３のＸ−Ｘ断面模式図、図５は、洗い場床に設けられた排水凹部と排水トラップとの関係を表す断面図である。
【００１４】
図１に示すように、浴室の洗い場床１００は、洗い場面１１０を有している。また、洗い場床１００は、その浴槽側を部分的に凹ませた排水凹部１２０を有している。排水凹部１２０は、平面視で四角形状であり、洗い場面１１０よりも低い位置に設けられている。排水凹部１２０には、排水蓋２００が設置されている。この排水蓋２００は、排水凹部１２０に設置されると洗い場面１１０とほぼ面一となる上面を有している。
【００１５】
図２〜図４に示すように、排水凹部１２０の下端には、排水トラップ３００に水を排出することができる開口部１３０が形成されている。そして、使用者が洗い場面１１０の上で身体や髪などを洗い流した水は、この排水凹部１２０に流れ込み、開口部１３０から排水トラップ３００を通して排水される。すなわち、排水凹部１２０は、洗い場床１００の排水口部として機能する。なお、本願明細書において「水」という場合には、冷水のみならず、加熱されたお湯も含むものとする。
【００１６】
排水凹部１２０は、その上面を、開口部１３０に向かうにつれて開口面積が小さくなるように下り傾斜した排水案内面１４０としている。排水案内面１４０は、二段に分かれた傾斜部１４１，１４５によって形成されている。上段側の傾斜部１４１は、下段側の傾斜部１４５よりも傾斜角度が小さくなっている。また、上段側の傾斜面１４１および下段側の傾斜面１４５は、どちらも中心軸を同一とした円錐面となっており、上段側の傾斜部１４１は、下段側の傾斜部１４５よりも角度が小さく、且つ、径の大きな円錐面である。いわば、排水凹部１２０は、開口部１３０を中心としたすり鉢状である。
このように、排水凹部１２０には開口部１３０に向けて傾斜した排水案内面１４０が設けられているので、洗い場床１００から排水凹部１２０に流れ込んだ水は、速やかに開口部１３０に流れて排水トラップ３００に排出される。また、排水凹部１２０の全体が開口部１３０に向けて傾斜した排水案内面１４０となっているので、排水凹部１２０上には平坦面がない。そのため、排水凹部１２０に残水することなく、確実に水を排出することができる。
【００１７】
図５に示すように、下段側の傾斜部１４５には、排水トラップ３００の一部を構成する封水筒３１０が水密状に当接されている。そして、下段側の傾斜部１４２と封水筒３１０との表面は、滑らかに接続されている。そのため、排水凹部１２０に流れてきた水は、排水凹部１２０と封水筒３１０との間にほとんど滞留することなく排水される。
【００１８】
上段側の傾斜部１４１には、排水蓋２００を支持する突起１４２が設けられている。この突起１４２は、排水凹部１２０の四隅に４個設けられている。また、この突起１４２は、平面視で円形状である。
一方、排水蓋２００の下面には、突起１４２に係合する凹部２１１が、突起１４２と同じ数設けられている。この凹部２１１は、排水蓋２００の下面に取り付けたゴム足２１０の底面の凹みによって形成されている。すなわち、排水蓋２００のゴム足２１０の底面の凹みが、排水凹部１２０の突起１４２に係合するのである。その際、排水蓋２００のゴム足２１０の底面は、排水凹部１２０の上面から浮いた状態となる。
このように、排水蓋２００は、排水凹部１２０の上段側の傾斜部１４１に設けられた複数の突起１４２によって、浮いた状態に支持されるから、排水凹部１２０の排水案内面１４０には排水蓋２００が接触しない。よって、排水凹部１２０の上面と排水蓋２００との間に毛髪などが固着することがなく、排水口部を従来より清潔に保つことができる。また、排水蓋２００は、複数の突起１４２と凹部２１１との係合によって支持されるから、常に排水蓋２００を正規の位置に設置することができる。よって、排水蓋２００がずれて排水蓋２００の一部が浮き上がり、洗い場面１１０に段差が生じるようなことはない。
【００１９】
以上説明したように、本実施形態の浴室洗い場の排水部構造によれば、洗い場床１００から排水凹部１２０に流れ込んだ水は速やかに開口部１３０から排水トラップ３００に排出されるため、排水凹部１２０には残水が生じない。よって、水に含まれた異物も排水凹部１２０に残りにくくなるため、排水凹部１２０にヌメリや汚れが付着しにくい。また、排水凹部１２０の清掃性も向上する。
また、排水蓋２００は排水案内面１４０との間で凹凸係合させるので、排水凹部１２０の全体を下り傾斜させても、排水蓋２００が水平方向に動くことがないから、安心して洗い場上を歩くことができる。
【００２０】
また、排水凹部１２０がすり鉢状であるから、下り傾斜同士の境界線がなく隅部のない排水凹部１２０となる。そのため、排水凹部１２０にヌメリや汚れがより一層付着しにくくなる。
【００２１】
さらにば、排水凹部１２０に設けた突起１４２は円形状なので、角部がなく、ヌメリ・汚れが付着しにくい。また、排水蓋２００は排水凹部１２０の四隅で支持されるので、安定感が高いものとなる。
【００２２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本実施形態では、排水凹部１２０に突起１４２を設け、排水蓋２００に突起１４２と係合する凹部２１１を設けたが、排水凹部に凹部を形成し、排水蓋にその凹部に係合する突起を設けてもよい。
【符号の説明】
【００２３】
１１０  洗い場面
１２０  排水凹部
１３０  開口部
１４０  排水案内面
１４２  突起
２００  排水蓋
２１１  凹部
３００  排水トラップ
【図１】
2013209831.tif 000003
【図２】
2013209831.tif 000004
【図３】
2013209831.tif 000005
【図４】
2013209831.tif 000006
【図５】
2013209831.tif 000007